(57)【要約】      （修正有）【課題】スマホを頑丈に固定でき、運転者の視線に影響しない車載用スマホケースを提供する。【解決手段】車載用スマホケースは、ケース１０及びケース１０と合わせて使用される固定チャンバを含み、ケース１０の右端壁の中には右に開口した挟みチャンバ１６が設置されており、挟みチャンバ１６の中には挟み装置２００が設置されており、挟みチャンバ１６の底壁には凸ブロック１７が固定されている。ヘッドアップディスプレイ装置５００はスイングチャンバ１１の中に回転できるように設置される第四回転軸１３を含み、第四回転軸１３の外表面には透明リフレクター１５及び第二ウォームホイール１４が固定され、スイングチャンバ１１と切替チャンバとの間には第二ウォームホイール１４と噛み合う第二ウォーム１２が回転できるように設置されており、切替チャンバの中の第二ウォーム１２の末端には第三傘歯車が固定される。【選択図】図１
2020172237.tif 000002
【特許請求の範囲】
【請求項１】
車載用スマホケースであって、ケース及び前記ケースと合わせて使用される固定座を含み、前記ケースの右端壁の中には右に開口した挟みチャンバが設置されており、前記挟みチャンバの中には挟み装置が設置されており、前記挟みチャンバの底壁には凸ブロックが固定され、前記凸ブロックの中には伝動チャンバが設置されており、前記伝動チャンバの底壁の中には左へ伸びている歯車チャンバが設置されており、前記挟みチャンバの左端壁の中には前記歯車チャンバの上方に位置する切替チャンバが設置されており、前記切替チャンバと前記歯車チャンバの間には第一回転軸が回転できるように設置されており、前記歯車チャンバの中の第一回転軸の末端には第一歯車が固定され、前記切替チャンバの中の前記第一回転軸の末端には第一傘歯車が固定され、前記切替チャンバの左端壁の中にはスライドチャンバが設置されており、前記スライドチャンバの中には動力切替装置が設置されており、前記スライドチャンバの底壁の中にはカムチャンバが設置されており、前記ケースの左端壁の中には左に開口した固定チャンバが設置されており、前記固定チャンバの上下端壁の中には開口が相対する係止溝が対称的に設置されており、前記固定チャンバの中には固定装置が設置されており、前記固定チャンバの右端面の中には前記カムチャンバの左側に位置する連通チャンバが連通して設置されており、前記連通チャンバと前記カムチャンバとの間には第二回転軸が回転できるように設置されており、前記第二回転軸の右側の末端と、前記カムチャンバの右端壁の中に固定的に設置される第一モーターとが伝動できるように接続されており、前記カムチャンバの中の前記第二回転軸の外表面にはカムが固定され、前記連通チャンバの中の前記第二回転軸の末端にはスプラインスリーブが固定され、前記ケースの右端壁の中には前記挟みチャンバの上方に位置するスイングチャンバが設置されており、前記スイングチャンバの中にはヘッドアップディスプレイ装置が設置されており、前記挟み装置と、動力切替装置と、固定装置及びヘッドアップディスプレイ装置とが合わせて使用され、スマホをケースの中に保護し、同時に前記ヘッドアップディスプレイ装置にスマホの内容を映すことを特徴とする車載用スマホケース。
【請求項２】
前記挟み装置は前記伝動チャンバの中に回転できるように設置される前後に対称的な第三回転軸を含み、前記伝動チャンバの中の前記第三回転軸の中の前記第三回転軸の外表面には第一ウォームホイールが固定され、前記第三回転軸の左右に伸びている末端には第一リンクが固定され、前記第一リンクの末端には挟み棒がヒンジで接続され、前記伝動チャンバと前記歯車チャンバの間には前記第一ウォームホイールと噛み合う第一ウォームが回転できるように設置されており、前記歯車チャンバにおいて前記第一ウォームの末端には前記第一歯車と噛み合う第二歯車が固定され、前記凸ブロックの左右両側には前後に対称的な第二リンクがヒンジで接続され、前記第二リンクが前記挟み棒の中間位置にヒンジで接続され、前記第一ウォームの回転を利用して前記第一ウォームホイールを回転連動させ、それにより前記第一リンクをスイング連動させて前記挟み棒がスマホを強く挟むことを特徴とする請求項１に記載の車載用スマホケース。
【請求項３】
前記動力切替装置は前記スライドチャンバの中にスライドできるように設置されるスライダを含み、前記スライダの右端壁の中には第二モーターが固定され、前記第二モーターの輸出軸のうち右へ伸びている末端には前記第一傘歯車と噛み合う第二傘歯車が固定的に取り付けられ、前記スライドチャンバと前記カムチャンバの間には第一スライド穴が連通して設置されており、前記第一スライド穴の中には前記スライダと固定的に設置されるスライド棒がスライドできるように設置されており、前記スライド棒と前記第一スライド穴の端壁の間には第一戻し装置が弾性的に設置されており、前記スライダが上下に移動して前記第一傘歯車を上下に移動連動させ、それにより動力の切替を実現できることを特徴とする請求項１に記載の車載用スマホケース。
【請求項４】
前記固定装置は前記固定座の左端壁に固定的に設置される貼付けテープを含み、前記固定座の中には押えチャンバが設置されており、前記押えチャンバの上下端壁の中には第二スライド穴が対称的に設置されており、前記第二スライド穴の中には押え棒がスライドできるように設置されており、前記押え棒と前記第二スライド穴の端壁との間には第二戻し装置が弾性的に設置されており、前記押えチャンバの右端壁の中にはスプライン軸が回転できるように設置されており、前記押えチャンバの中の前記スプライン軸の末端には両面カムが固定され、前記両面カムが前記押え棒を押え、ケースと前記固定座との固定に便利を与えることを特徴とする請求項１に記載の車載用スマホケース。
【請求項５】
前記ヘッドアップディスプレイ装置は前記スイングチャンバの中に回転できるように設置される第四回転軸を含み、前記第四回転軸の外表面には透明リフレクター及び第二ウォームホイールが固定され、前記スイングチャンバと前記切替チャンバとの間には前記第二ウォームホイールと噛み合う第二ウォームが回転できるように設置されており、前記切替チャンバの中の前記第二ウォームの末端には第三傘歯車が固定され、前記第二ウォームが回転して前記第二ウォームホイールを回転連動させ、これにより前記透明リフレクターをスイング連動させて表示角度を調節することを特徴とする請求項１に記載の車載用スマホケース。
【発明の詳細な説明】
【技術分野】
【０００１】
本発明はスマホ部品の分野を取り上げて、具体的には車載用スマホケースである。
【背景技術】
【０００２】
運転する時にスマホを使うのは非常に危険なことであり、スマホが車内に置かれると運転者は気が散りやすく、同時に車が加速や減速する時にスマホが飛び出しやすく、それにより車内人員が怪我をする恐れがあり、ところが運転する時に避けられずにスマホのガイドを使用せざるを得ず、そのため頑丈に固定でき、それに運転者の視線を影響しないスマホケースを設計するのは上記の問題を解決できる。
【先行技術文献】
【特許文献】
【０００３】
【特許文献１】中国特許出願公開第１０７７４９９１０号明細書
【発明の概要】
【発明が解決しようとする課題】
【０００４】
本発明の目的は車載用スマホケースを提供し、現有の技術の上記欠点を克服し、設備の実用性を高める。
【課題を解決するための手段】
【０００５】
本発明の車載用スマホケースは、ケース及び前記ケースと合わせて使用される固定座を含み、前記ケースの右端壁の中には右に開口した挟みチャンバが設置されており、前記挟みチャンバの中には挟み装置が設置されており、前記挟みチャンバの底壁には凸ブロックが固定され、前記凸ブロックの中には伝動チャンバが設置されており、前記伝動チャンバの底壁の中には左へ伸びている歯車チャンバが設置されており、前記挟みチャンバの左端壁の中には前記歯車チャンバの上方に位置する切替チャンバが設置されており、前記切替チャンバと前記歯車チャンバの間には第一回転軸が回転できるように設置されており、前記歯車チャンバの中の第一回転軸の末端には第一歯車が固定され、前記切替チャンバの中の前記第一回転軸の末端には第一傘歯車が固定され、前記切替チャンバの左端壁の中にはスライドチャンバが設置されており、前記スライドチャンバの中には動力切替装置が設置されており、前記スライドチャンバの底壁の中にはカムチャンバが設置されており、前記ケースの左端壁の中には左に開口した固定チャンバが設置されており、前記固定チャンバの上下端壁の中には開口が相対する係止溝が対称的に設置されており、前記固定チャンバの中には固定装置が設置されており、前記固定チャンバの右端面の中には前記カムチャンバの左側に位置する連通チャンバが連通して設置されており、前記連通チャンバと前記カムチャンバとの間には第二回転軸が回転できるように設置されており、前記第二回転軸の右側の末端と、前記カムチャンバの右端壁の中に固定的に設置される第一モーターとが伝動できるように接続されており、前記カムチャンバの中の前記第二回転軸の外表面にはカムが固定され、前記連通チャンバの中の前記第二回転軸の末端にはスプラインスリーブが固定され、前記ケースの右端壁の中には前記挟みチャンバの上方に位置するスイングチャンバが設置されており、前記スイングチャンバの中にはヘッドアップディスプレイ装置が設置されており、前記挟み装置と、動力切替装置と、固定装置及びヘッドアップディスプレイ装置とが合わせて使用され、スマホをケースの中に保護し、同時に前記ヘッドアップディスプレイ装置にスマホの内容を映す。
【０００６】
更なる技術方案、前記挟み装置は前記伝動チャンバの中に回転できるように設置される前後に対称的な第三回転軸を含み、前記伝動チャンバの中の前記第三回転軸の中の前記第三回転軸の外表面には第一ウォームホイールが固定され、前記第三回転軸の左右に伸びている末端には第一リンクが固定され、前記第一リンクの末端には挟み棒がヒンジで接続され、前記伝動チャンバと前記歯車チャンバの間には前記第一ウォームホイールと噛み合う第一ウォームが回転できるように設置されており、前記歯車チャンバにおいて前記第一ウォームの末端には前記第一歯車と噛み合う第二歯車が固定され、前記凸ブロックの左右両側には前後に対称的な第二リンクがヒンジで接続され、前記第二リンクが前記挟み棒の中間位置にヒンジで接続され、前記第一ウォームの回転を利用して前記第一ウォームホイールを回転連動させ、それにより前記第一リンクをスイング連動させて前記挟み棒がスマホを強く挟む。
【０００７】
更なる技術方案、前記動力切替装置は前記スライドチャンバの中にスライドできるように設置されるスライダを含み、前記スライダの右端壁の中には第二モーターが固定され、前記第二モーターの輸出軸のうち右へ伸びている末端には前記第一傘歯車と噛み合う第二傘歯車が固定的に取り付けられ、前記スライドチャンバと前記カムチャンバの間には第一スライド穴が連通して設置されており、前記第一スライド穴の中には前記スライダと固定的に設置されるスライド棒がスライドできるように設置されており、前記スライド棒と前記第一スライド穴の端壁の間には第一戻し装置が弾性的に設置されており、前記スライダが上下に移動して前記第一傘歯車を上下に移動連動させ、それにより動力の切替を実現できる。
【０００８】
更なる技術方案、前記固定装置は前記固定座の左端壁に固定的に設置される貼付けテープを含み、前記固定座の中には押えチャンバが設置されており、前記押えチャンバの上下端壁の中には第二スライド穴が対称的に設置されており、前記第二スライド穴の中には押え棒がスライドできるように設置されており、前記押え棒と前記第二スライド穴の端壁との間には第二戻し装置が弾性的に設置されており、前記押えチャンバの右端壁の中にはスプライン軸が回転できるように設置されており、前記押えチャンバの中の前記スプライン軸の末端には両面カムが固定され、前記両面カムが前記押え棒を押え、ケースと前記固定座との固定に便利を与える。
【０００９】
更なる技術方案、前記ヘッドアップディスプレイ装置は前記スイングチャンバの中に回転できるように設置される第四回転軸を含み、前記第四回転軸の外表面には透明リフレクター及び第二ウォームホイールが固定され、前記スイングチャンバと前記切替チャンバとの間には前記第二ウォームホイールと噛み合う第二ウォームが回転できるように設置されており、前記切替チャンバの中の前記第二ウォームの末端には第三傘歯車が固定され、前記第二ウォームが回転して前記第二ウォームホイールを回転連動させ、これにより前記透明リフレクターをスイング連動させて表示角度を調節する。
【発明の効果】
【００１０】
本発明の有益な効果は下記の通りである：
【００１１】
本発明の設備は同一動力源を利用してスマホの挟み固定ができ、同時にこの動力源を利用してリフレクターの角度の調節を実現し、スマホによりよく情報を表示させ、同時に設備は上記動力の切替を利用してケースの固定を実現し、運転によるケースの移動を避け、使用をもっと安全にさせる。
【図面の簡単な説明】
【００１２】
発明実施例或いは現有技術中の技術構想をもっとはっきり説明するため、以下は実施例或いは現有技術の説明に使用される付図に対して簡単なる紹介し、明らかに、以下の説明の付図は発明の実施例だけ、本分野の普通の技術人員にとって、創造的な労働を払わなくても、この付図によって他の付図を得られる。
【図１】図１は本発明の車載用スマホケースの全体構成模式図
【図２】図２は図１のＡの拡大構成模式図
【図３】図３は図１のＢ−Ｂの構成模式図
【発明を実施するための形態】
【００１３】
本説明書によって公開されるすべての特徴、或いは公開されるすべての方法或いは過程中の順序は、互いに排斥する特徴或いは順序以外、いかなる方法で組み合わせる。
【００１４】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１５】
図１−３に示すように、本発明の車載用スマホケースは、ケース１０及び前記ケース１０と合わせて使用される固定座２８を含み、前記ケース１０の右端壁の中には右に開口した挟みチャンバ１６が設置されており、前記挟みチャンバ１６の中には挟み装置２００が設置されており、前記挟みチャンバ１６の底壁には凸ブロック１７が固定され、前記凸ブロック１７の中には伝動チャンバ５３が設置されており、前記伝動チャンバ５３の底壁の中には左へ伸びている歯車チャンバ２１が設置されており、前記挟みチャンバ１６の左端壁の中には前記歯車チャンバ２１の上方に位置する切替チャンバ３０が設置されており、前記切替チャンバ３０と前記歯車チャンバ２１の間には第一回転軸３３が回転できるように設置されており、前記歯車チャンバ２１の中の第一回転軸３３の末端には第一歯車２０が固定され、前記切替チャンバ３０の中の前記第一回転軸３３の末端には第一傘歯車３２が固定され、前記切替チャンバ３０の左端壁の中にはスライドチャンバ４８が設置されており、前記スライドチャンバ４８の中には動力切替装置３００が設置されており、前記スライドチャンバ４８の底壁の中にはカムチャンバ３４が設置されており、前記ケース１０の左端壁の中には左に開口した固定チャンバ３９が設置されており、前記固定チャンバ３９の上下端壁の中には開口が相対する係止溝４９が対称的に設置されており、前記固定チャンバ３９の中には固定装置４００が設置されており、前記固定チャンバ３９の右端面の中には前記カムチャンバ３４の左側に位置する連通チャンバ４０が連通して設置されており、前記連通チャンバ４０と前記カムチャンバ３４との間には第二回転軸３６が回転できるように設置されており、前記第二回転軸３６の右側の末端と、前記カムチャンバ３４の右端壁の中に固定的に設置される第一モーター３５とが伝動できるように接続されており、前記カムチャンバ３４の中の前記第二回転軸３６の外表面にはカム３７が固定され、前記連通チャンバ４０の中の前記第二回転軸３６の末端にはスプラインスリーブ４１が固定され、前記ケース１０の右端壁の中には前記挟みチャンバ１６の上方に位置するスイングチャンバ１１が設置されており、前記スイングチャンバ１１の中にはヘッドアップディスプレイ装置５００が設置されており、前記挟み装置２００と、動力切替装置３００と、固定装置４００及びヘッドアップディスプレイ装置５００とが合わせて使用され、スマホをケースの中に保護し、同時に前記ヘッドアップディスプレイ装置５００にスマホの内容を映す。
【００１６】
有益なように、前記挟み装置２００は前記伝動チャンバ５３の中に回転できるように設置される前後に対称的な第三回転軸５４を含み、前記伝動チャンバ５３の中の前記第三回転軸５４の中の前記第三回転軸５４の外表面には第一ウォームホイール５５が固定され、前記第三回転軸５４の左右に伸びている末端には第一リンク５２が固定され、前記第一リンク５２の末端には挟み棒５０がヒンジで接続され、前記伝動チャンバ５３と前記歯車チャンバ２１の間には前記第一ウォームホイール５５と噛み合う第一ウォーム５６が回転できるように設置されており、前記歯車チャンバ２１において前記第一ウォーム５６の末端には前記第一歯車２０と噛み合う第二歯車１９が固定され、前記凸ブロック１７の左右両側には前後に対称的な第二リンク５１がヒンジで接続され、前記第二リンク５１が前記挟み棒５０の中間位置にヒンジで接続され、前記第一ウォーム５６の回転を利用して前記第一ウォームホイール５５を回転連動させ、それにより前記第一リンク５２をスイング連動させて前記挟み棒５０がスマホを強く挟む。
【００１７】
有益なように、前記動力切替装置３００は前記スライドチャンバ４８の中にスライドできるように設置されるスライダ４７を含み、前記スライダ４７の右端壁の中には第二モーター４６が固定され、前記第二モーター４６の輸出軸のうち右へ伸びている末端には前記第一傘歯車３２と噛み合う第二傘歯車３１が固定的に取り付けられ、前記スライドチャンバ４８と前記カムチャンバ３４の間には第一スライド穴４３が連通して設置されており、前記第一スライド穴４３の中には前記スライダ４７と固定的に設置されるスライド棒４５がスライドできるように設置されており、前記スライド棒４５と前記第一スライド穴４３の端壁の間には第一戻し装置４４が弾性的に設置されており、前記スライダ４７が上下に移動して前記第一傘歯車３２を上下に移動連動させ、それにより動力の切替を実現できる。
【００１８】
有益なように、前記固定装置４００は前記固定座２８の左端壁に固定的に設置される貼付けテープ２６を含み、前記固定座２８の中には押えチャンバ４２が設置されており、前記押えチャンバ４２の上下端壁の中には第二スライド穴２３が対称的に設置されており、前記第二スライド穴２３の中には押え棒２４がスライドできるように設置されており、前記押え棒２４と前記第二スライド穴２３の端壁との間には第二戻し装置２７が弾性的に設置されており、前記押えチャンバ４２の右端壁の中にはスプライン軸２２が回転できるように設置されており、前記押えチャンバ４２の中の前記スプライン軸２２の末端には両面カム２５が固定され、前記両面カム２５が前記押え棒２４を押え、ケース１０と前記固定座２８との固定に便利を与える。
【００１９】
有益なように、前記ヘッドアップディスプレイ装置５００は前記スイングチャンバ１１の中に回転できるように設置される第四回転軸１３を含み、前記第四回転軸１３の外表面には透明リフレクター１５及び第二ウォームホイール１４が固定され、前記スイングチャンバ１１と前記切替チャンバ３０との間には前記第二ウォームホイール１４と噛み合う第二ウォーム１２が回転できるように設置されており、前記切替チャンバ３０の中の前記第二ウォーム１２の末端には第三傘歯車２９が固定され、前記第二ウォーム１２が回転して前記第二ウォームホイール１４を回転連動させ、これにより前記透明リフレクター１５をスイング連動させて表示角度を調節する。
【００２０】
以下、付図１−３及び上記の本願発明の車載用スマホケースの具体的な構造を参考してその使い方を詳しく説明する：
【００２１】
まずは固定座２８を貼付けテープ２６によって車のダーッシュボードの上方に貼り付け、スマホを前後の二つの挟み棒５０の間に置き、第二モーター４６を始動して第一傘歯車３１を回転連動させ、第一傘歯車３１が回転して第二傘歯車３２を回転連動させ、それにより第一歯車２０と、第二歯車１９と、第一ウォーム１８及び第一ウォームホイール５５を順次に回転連動させ、第一ウォームホイール５５が回転して第一リンク５２をスイング連動させ、同時に挟み棒５０を相対にスイングしてスマホを強く挟み、この時ケース１０の中の固定チャンバ３９を固定座２８に合わせて置き、この時スプライン軸２２がスプラインスリーブ４１の中に伸びてスプラインスリーブ４１とスプラインによって係合され、この時第一モーター３５を始動し、第一モーター３５が回転してカム３７を回転連動させ、同時にスプラインスリーブ４１を回転連動させ、スプラインスリーブ４１が回転してスプライン軸２２を回転連動させて両面カム２５が押え棒２４を押えて係止溝４９の中に伸びてケース１０を固定座２８と強く固定し、同時にカム３７が回転してスライド棒４５を上へ移動連動させてスライダ４７を上へ移動連動させ、第一傘歯車３１と第三傘歯車２９とが噛み合い、この時第二モーター４６を始動して回転させて第一傘歯車３１と、第三傘歯車２９及び第二ウォーム１２を回転連動させ、第二ウォーム１２が回転して第二ウォームホイール１４を回転連動させて透明リフレクター１５を連動させて角度を調整し、スマホに表示の内容を透明リフレクター１５に映す。
【００２２】
上記の詳しい分析によって：本発明の設備は同一動力源を利用してスマホの挟み固定ができ、同時にこの動力源を利用してリフレクターの角度の調節を実現し、スマホによりよく情報を表示させ、同時に設備は上記動力の切替を利用してケースの固定を実現し、運転によるケースの移動を避け、使用をもっと安全にさせる。
【００２３】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020172237.tif 000003
【図２】
2020172237.tif 000004
【図３】
2020172237.tif 000005